(57)【要約】【課題】  主電源スイッチをＯＦＦにしてはいけない禁止期間にユーザが主電源スイッチをＯＦＦすることを防止すると共に、禁止期間に主電源スイッチをＯＦＦにすることによる影響に係る情報を、ユーザに提供することを目的とする。【解決手段】  画像形成装置の主電源をＯＮ／ＯＦＦする主電源スイッチと、ユーザが主電源スイッチに接触したこと又は接触しようとしていることを検知する検知手段２１と、主電源スイッチの近傍に貼られた、主電源スイッチを用いて主電源をＯＦＦする主電源スイッチＯＦＦに係る警告情報を表示する警告ラベルと、操作手段１４と、を有し、主電源スイッチＯＦＦの禁止期間に、検知手段２１によって、ユーザが主電源スイッチに接触したこと又は接触しようとしていることを検知すると、操作手段１４に主電源スイッチＯＦＦによる影響に係る情報を表示することによって上記課題を解決する。【選択図】  図１
2006192781.tif 000002
【特許請求の範囲】
【請求項１】
当該画像形成装置の主電源をＯＮ／ＯＦＦする主電源スイッチと、
ユーザが該主電源スイッチに接触したこと又は接触しようとしていることを検知する検知手段と、
前記主電源スイッチの近傍に貼られた、前記主電源スイッチを用いて主電源をＯＦＦする主電源スイッチＯＦＦに係る警告情報を表示する警告ラベルと、
操作手段と、
を有し、
前記主電源スイッチＯＦＦの禁止期間に、前記検知手段によって、ユーザが前記主電源スイッチに接触したこと又は接触しようとしていることを検知すると、前記操作手段に前記主電源スイッチＯＦＦによる影響に係る情報を表示することを特徴とする画像形成装置。
【請求項２】
前記主電源スイッチＯＦＦの禁止期間に、前記検知手段によって、ユーザが前記主電源スイッチに接触したこと又は接触しようとしていることを検知すると、前記操作手段に前記主電源スイッチＯＦＦによる影響に係る情報を表示すると共に、前記主電源スイッチＯＦＦが可能になるまでの時間に係る情報を表示することを特徴とする請求項１記載の画像形成装置。
【請求項３】
警告手段を更に有し、
前記主電源スイッチＯＦＦの禁止期間に、前記検知手段によって、ユーザが前記主電源スイッチに接触したこと又は接触しようとしていることを検知すると、前記操作手段に前記主電源スイッチＯＦＦによる影響に係る情報を表示すると共に、前記警告手段によってユーザに警告を行うことを特徴とする請求項１又は２記載の画像形成装置。
【請求項４】
前記警告手段は、前記警告ラベル近傍又は操作手段に設けられた発光手段であることを特徴とする請求項３記載の画像形成装置。
【請求項５】
前記警告手段は、前記警告ラベル近傍又は操作手段に設けられた発音手段であることを特徴とする請求項３記載の画像形成装置。
【請求項６】
画像形成装置の主電源をＯＮ／ＯＦＦする主電源スイッチと、
ユーザが該主電源スイッチに接触したこと又は接触しようとしていることを検知する検知手段と、
前記主電源スイッチの近傍に貼られた、前記主電源スイッチを用いて主電源をＯＦＦする主電源スイッチＯＦＦに係る警告情報を表示する警告ラベルと、
操作手段と、
を有する画像形成装置における前記主電源スイッチＯＦＦに係る警告方法であって、
前記主電源スイッチＯＦＦの禁止期間に、ユーザが前記主電源スイッチに接触したこと又は接触しようとしていることを検知する検知段階と、
前記検知段階において、ユーザが前記主電源スイッチに接触したこと又は接触しようとしていることを検知すると、前記操作手段に前記主電源スイッチＯＦＦによる影響に係る情報を表示する表示段階と、
を有することを特徴とする警告方法。
【発明の詳細な説明】
【技術分野】
【０００１】
本発明は、画像形成装置及び警告方法に関する。
【背景技術】
【０００２】
従来、複写機・プリンタ・ファクシミリといった画像形成装置では、例えば警告に係る情報をラベルに記載（表示）し、該ラベルを警告に係る場所に貼ってユーザに警告に係る情報を提示していた（例えば、特許文献１参照。）。
【０００３】
また、画像形成装置には、機械的に当該画像形成装置への電力の供給を切り替える（又は主電源をＯＮ／ＯＦＦする）主電源スイッチと、ユーザが当該画像形成装置を動作（又は停止）させるときに押す（又は主電源はＯＮ／ＯＦＦせず、他の電源をＯＮ／ＯＦＦする）電源キーと、が備えられているものがあり、このような画像形成装置においては、ユーザは通常、電源キーをＯＮ／ＯＦＦする。
【０００４】
このように、主電源スイッチと、電源キーと、を有する構成とし、通常、ユーザに電源キーをＯＮ／ＯＦＦさせる目的としては、画像形成装置のプロッタの動作が終了後、例えばデータの出力後発生したオゾンを当該画像形成装置の外へ排出するためファンを駆動する等、の後処理のため、主電源をユーザによって突然切られないようにする必要があったり、画像形成装置がハードディスクを有する場合、例えばスキャナ等で読み込んだ文書（又は画像）データ等をハードディスクに格納している際（つまり、ハードディスクアクセス中）に、主電源をユーザによって突然切られないようにする必要があったり、するためである。
【０００５】
上述したように、主電源はユーザによって突然ＯＦＦされては困る場合が多いため、例えば電源キーの近傍にランプ（又はＬＥＤ（Ｌｉｇｈｔ  Ｅｍｉｔｔｉｎｇ  Ｄｉｏｄｅ））を設け、ファンを一定期間駆動している間、及び／又はハードディスクにアクセスしている間等は、該ランプを点滅させ、該ランプが点滅（及び／又は点灯）している間は、主電源スイッチをＯＦＦしない旨を表示したラベルを、主電源スイッチ近傍に貼ってユーザに警告を行っていた。
【特許文献１】特開２００１−２４７２３５号公報
【発明の開示】
【発明が解決しようとする課題】
【０００６】
しかしながら、ユーザによっては、ラベルを見ることなく、例えば電源キーの近傍に設けられたランプが点滅しているのに主電源スイッチをＯＦＦにしてしまう問題があった。また、大型の画像形成装置では、電源キーの近傍に設けられたランプと、主電源スイッチ近傍に貼られたラベルと、の間が離れ、電源キーの近傍に設けられたランプの点滅による警告ではユーザが、ランプの点滅に気が付かない問題があった。
【０００７】
また、ユーザによっては、突然主電源スイッチをＯＦＦにしてしまうとどのような問題が起こるのかわからず、気楽に主電源スイッチをＯＦＦにしてしまう問題もあった。
【０００８】
本発明は、上記の点に鑑みなされたもので、主電源スイッチをＯＦＦにしてはいけない禁止期間にユーザが主電源スイッチをＯＦＦすることを防止すると共に、禁止期間に主電源スイッチをＯＦＦにすることによる影響に係る情報を、ユーザに提供することを目的とする。
【課題を解決するための手段】
【０００９】
そこで、上記課題を解決するため、本発明は、当該画像形成装置の主電源をＯＮ／ＯＦＦする主電源スイッチと、ユーザが該主電源スイッチに接触したこと又は接触しようとしていることを検知する検知手段と、前記主電源スイッチの近傍に貼られた、前記主電源スイッチを用いて主電源をＯＦＦする主電源スイッチＯＦＦに係る警告情報を表示する警告ラベルと、操作手段と、を有し、前記主電源スイッチＯＦＦの禁止期間に、前記検知手段によって、ユーザが前記主電源スイッチに接触したこと又は接触しようとしていることを検知すると、前記操作手段に前記主電源スイッチＯＦＦによる影響に係る情報を表示することを特徴とする。
【００１０】
本発明によれば、当該画像形成装置の主電源をＯＮ／ＯＦＦする主電源スイッチと、ユーザが該主電源スイッチに接触したこと又は接触しようとしていることを検知する検知手段と、前記主電源スイッチの近傍に貼られた、前記主電源スイッチを用いて主電源をＯＦＦする主電源スイッチＯＦＦに係る警告情報を表示する警告ラベルと、操作手段と、を有し、前記主電源スイッチＯＦＦの禁止期間に、前記検知手段によって、ユーザが前記主電源スイッチに接触したこと又は接触しようとしていることを検知すると、前記操作手段に前記主電源スイッチＯＦＦによる影響に係る情報を表示することにより、主電源スイッチをＯＦＦにしてはいけない禁止期間にユーザが主電源スイッチをＯＦＦすることを防止すると共に、禁止期間に主電源スイッチをＯＦＦにすることによる影響に係る情報を、ユーザに提供することができる。
【００１１】
また、上記課題を解決するための手段として、警告方法としてもよい。
【発明の効果】
【００１２】
本発明によれば、主電源スイッチをＯＦＦにしてはいけない禁止期間にユーザが主電源スイッチをＯＦＦすることを防止すると共に、禁止期間に主電源スイッチをＯＦＦにすることによる影響に係る情報を、ユーザに提供することができる。
【発明を実施するための最良の形態】
【００１３】
以下、本発明の実施の形態について図面に基づいて説明する。
【実施例１】
【００１４】
図１は、画像形成装置の一例の制御ブロック図である。図１に示されるように、画像形成装置１は、ＣＰＵ（Ｃｅｎｔｒａｌ  Ｐｒｏｃｅｓｓｉｎｇ  Ｕｎｉｔ）１１と、メモリー１２と、ハードディスク１３と、操作部１４と、Ｉ／Ｏ制御部１５と、書込み部１６と、スキャナ部１７と、高圧電源１８と、画像処理部１９と、感知センサー２１と、オゾンファン２２と、警告ランプ２３と、ブザー２４と、を含む。
【００１５】
メモリー１２は、例えばプログラムの処理に用いられるデータ等を格納する。ＣＰＵ１１は、プログラム等に従って、例えば後述する影響情報提示処理等を実行する。
【００１６】
ハードディスク１３は、プログラムや、主電源スイッチＯＦＦによる影響に係る情報、画像形成に係る文書（又は画像）データ等を格納する。
【００１７】
操作部１４は、ユーザが画像形成装置１に各種操作情報（又は操作データ）を入力したり、各種情報（又はデータ）をユーザに表示したりするのに用いられる。なお、操作部１４の一例を、後述する図３に示す。
【００１８】
Ｉ／Ｏ制御部１５は、感知センサー２１等からの入力データ（信号）、及びＣＰＵ１１又はオゾンファン２２又は警告ランプ２３又はブザー２４等への出力データ（信号）等に係る制御を行う制御部である。感知センサー２１は、主電源スイッチの近傍に設けられ、ユーザが主電源スイッチに接触したこと又は接触しようとしていることを感知するセンサーであり、ユーザが主電源スイッチに接触したこと又は接触しようとしていることを感知すると、該感知した旨の情報を入力データとしてＩ／Ｏ制御部１５に渡す。オゾンファン２２は、オゾンを当該画像形成装置１の外へ排出するファンである。警告ランプ２３は、後述する図２に示されるような警告ラベル５０の近傍又は後述する図３に示されるような操作部１４に設けられた警告に用いられるランプである。ブザー２４は、後述する図２に示されるような警告ラベル５０の近傍又は後述する図３に示されるような操作部１４に設けられた警告に用いられるブザーである。
【００１９】
なお、図１には図示していないが、後述する主電源ランプ３２、電源ランプ３３等も警告ランプ２３と同様、Ｉ／Ｏ制御部１５等からの入力データ等に基づいてランプを点灯させたり、消灯させたりする。
【００２０】
スキャナ部１７は、画像の読み込みを行う読み込み部である。画像処理部１９は、画像処理を行う処理部であって、例えばスキャナ部１７が読み込んだ画像に対して画像処理を行う。書込み部１６は、画像の書き込みを行う書込み部であって、例えば画像処理部１９等より受け取った画像をＬＤ（Ｌａｓｅｒ  Ｄｉｏｄｅ）ユニット等を用いて書込む（又は画像形成する。）。また、書込み部１６は、コピー、プリント時には、感光体へ作像するため、高圧電源１８から出力される高電圧で感光体を負電荷に帯電させる。
【００２１】
以下、主電源スイッチ４０の近傍に貼られた警告ラベル５０の一例を、図２に示す。図２は、主電源スイッチの近傍に貼られた警告ラベルの一例を示す図である。図２に示されるように、警告ラベル５０は、主電源スイッチ４０の近傍に貼られ、主電源スイッチＯＦＦに係る警告情報が表示されている。
【００２２】
以下、操作部１４の一例を図３に示す。図３は、操作部の一例を示す図である。図３に示されるように、操作部１４には、画面３１が含まれ、後述する図４に示すように主電源スイッチＯＦＦによる影響に係る情報等が、画面３０に表示される。
【００２３】
また、図３に示されるように、操作部１４には、主電源ランプ３２、電源ランプ３３と、電源キー３４と、が含まれる。主電源ランプ３２は、主電源スイッチ４０がＯＮになっているとき点灯し、電源ランプ３３は、当該画像形成装置１の電源が入っているとき点灯する。電源キー３４は、ユーザが当該画像形成装置１の電源を入れるときに押すものであり、該電源キー３４が押されると、画像形成装置１は、電源ランプ３３を点灯させる。また、電源キー３４は、ユーザが当該画像形成装置１の電源を切るときにも押すものであり、該電源キー３４が押されると、画像形成装置１は、電源ランプ３３を消灯させる。
【００２４】
以下、操作部１４の画面３１に表示された主電源スイッチＯＦＦによる影響に係る情報の一例を、図４に示す。図４は、操作部の画面に表示された主電源スイッチＯＦＦによる影響に係る情報の一例を示す図である。画像形成装置１は、ユーザが主電源スイッチＯＦＦの禁止期間に主電源スイッチ４０に接触した旨又は接触しようとしていると検知すると、図４に示されるように、操作部１４の画面３１に主電源スイッチＯＦＦによる影響に係る情報（影響情報）、より具体的には突然主電源スイッチをＯＦＦにするとハードディスクやメモリーが破損したりオゾンを排出しきれず画像形成装置が故障したりする原因になる旨の情報、を表示する。
【００２５】
以下、画像形成装置１における影響情報提示処理の一例を、図５に示す。図５は、影響情報提示処理を示すフローチャート（その１）である。
【００２６】
ステップＳ１０において、ＣＰＵ１１は、ユーザが主電源スイッチ４０に触れたか又は触れようとしているか否かを判定する。ＣＰＵ１１は、ユーザが主電源スイッチ４０に触れた又は触れようとしていると判定すると（ステップＳ１０においてＹＥＳ）、ステップＳ１１に進み、ユーザが主電源スイッチ４０に触れていない又は触れようとしていないと判定すると（ステップＳ１０においてＮＯ）、ステップＳ１０に戻る。
【００２７】
例えば、ＣＰＵ１１は、Ｉ／Ｏ制御部１５を介して、感知センサー２１からユーザが主電源スイッチ４０に接触した旨又は接触しようとしている旨の通知を受け取ると、ユーザが主電源スイッチ４０に触れた又は触れようとしていると判定する。
【００２８】
ステップＳ１１では、ＣＰＵ１１が、オゾンファン２２が稼動中か否かを判定する。ＣＰＵ１１は、オゾンファン２２が稼動中であると判定すると（ステップＳ１１においてＹＥＳ）、ステップＳ１２に進み、オゾンファン２２が稼動中でないと判定すると（ステップＳ１１においてＮＯ）、ステップＳ１３に進む。
【００２９】
例えば、ＣＰＵ１１は、Ｉ／Ｏ制御部１５からの出力データに基づいて、オゾンファン２２が稼動中であるか否かを判定する。
【００３０】
ステップＳ１２では、ＣＰＵ１１が、ハードディスク１３又はメモリー１２にアクセス中か否かを判定する。ＣＰＵ１１は、ハードディスク１３又はメモリー１２にアクセス中であると判定すると（ステップＳ１２においてＹＥＳ）、ステップＳ１３に進み、ハードディスク１３又はメモリー１２にアクセス中でないと判定すると（ステップＳ１２においてＮＯ）、ステップＳ１０に戻る。
【００３１】
なお、ステップＳ１１におけるオゾンファン２２が稼動中か否かの判定と、ステップＳ１２におけるハードディスク１３又はメモリー１２にアクセス中か否かの判定と、の処理順序は逆であってもよい。以下の実施例のフローチャートにおいても同様である。
【００３２】
ステップＳ１３では、ＣＰＵ１１が、例えばハードディスク１３等より、主電源スイッチＯＦＦによる影響情報を取得する。ステップＳ１３に続いてステップＳ１４に進み、ＣＰＵ１１は、ステップＳ１３において取得した主電源スイッチＯＦＦによる影響情報を、操作部１４の画面３１に表示させる。
【００３３】
上述したように、ユーザが主電源スイッチＯＦＦの禁止期間、より具体的にはオゾンファン２２の稼動中やハードディスク１３又はメモリー１２にアクセス中、に主電源スイッチ４０に接触した旨又は接触しようとしていると検知すると、主電源スイッチＯＦＦによる影響情報を取得し、操作部１４の画面３１に表示することにより、主電源スイッチ４０をＯＦＦにしてはいけない禁止期間にユーザが主電源スイッチ４０をＯＦＦすることを防止すると共に、禁止期間に主電源スイッチ４０をＯＦＦにすることによる影響に係る情報を、ユーザに提供することができる。
【００３４】
したがって、ユーザは画像形成装置１の状態を把握しながら主電源スイッチ４０をＯＦＦすることができ、ハードディスク１３やメモリー１２の破壊や、画像形成装置１の故障を防ぐことができる。
【実施例２】
【００３５】
以下、画像形成装置１における影響情報提示処理等の他の例を実施例２に示す。なお、実施例２では実施例１と異なる点について主に説明を行う。図６は、影響情報提示処理を示すフローチャート（その２）である。
【００３６】
ステップＳ２０において、ＣＰＵ１１は、ユーザが主電源スイッチ４０に触れたか又は触れようとしているか否かを判定する。ＣＰＵ１１は、ユーザが主電源スイッチ４０に触れた又は触れようとしていると判定すると（ステップＳ２０においてＹＥＳ）、ステップＳ２１に進み、ユーザが主電源スイッチ４０に触れていない又は触れようとしていないと判定すると（ステップＳ２０においてＮＯ）、ステップＳ２０に戻る。
【００３７】
例えば、ＣＰＵ１１は、Ｉ／Ｏ制御部１５を介して、感知センサー２１からユーザが主電源スイッチ４０に接触した旨又は接触しようとしている旨の通知を受け取ると、ユーザが主電源スイッチ４０に触れた又は触れようとしていると判定する。
【００３８】
ステップＳ２１では、ＣＰＵ１１が、オゾンファン２２が稼動中か否かを判定する。ＣＰＵ１１は、オゾンファン２２が稼動中であると判定すると（ステップＳ２１においてＹＥＳ）、ステップＳ２２に進み、オゾンファン２２が稼動中でないと判定すると（ステップＳ２１においてＮＯ）、ステップＳ２３に進む。
【００３９】
例えば、ＣＰＵ１１は、Ｉ／Ｏ制御部１５からの出力データに基づいて、オゾンファン２２が稼動中であるか否かを判定する。
【００４０】
ステップＳ２２では、ＣＰＵ１１が、ハードディスク１３又はメモリー１２にアクセス中か否かを判定する。ＣＰＵ１１は、ハードディスク１３又はメモリー１２にアクセス中であると判定すると（ステップＳ２２においてＹＥＳ）、ステップＳ２３に進み、ハードディスク１３又はメモリー１２にアクセス中でないと判定すると（ステップＳ２２においてＮＯ）、ステップＳ２０に戻る。
【００４１】
ステップＳ２３では、ＣＰＵ１１が、現時刻から主電源スイッチ４０をＯＦＦにしてもよいまでの時間である主電源スイッチＯＦＦ可能時間を算出する。例えば、ＣＰＵ１１は、ステップＳ２１を経てステップＳ２３に進んできた場合は、現時刻からオゾンファン２２が停止するまでの時間を算出し、該算出した時間を主電源スイッチＯＦＦ可能時間とする。また、ＣＰＵ１１は、ステップＳ２２を経てステップＳ２３に進んできた場合は、現時刻からハードディスク１３又はメモリー１２にデータを格納し終わるまでの時間を算出し、該算出した時間を主電源スイッチＯＦＦ可能時間とする。
【００４２】
ステップＳ２３に続いてステップＳ２４に進み、ＣＰＵ１１は、例えばハードディスク１３等より、主電源スイッチＯＦＦによる影響情報を取得する。ステップＳ２４に続いてステップＳ２５に進み、ＣＰＵ１１は、ステップＳ２４において取得した主電源スイッチＯＦＦによる影響情報と共に、ステップＳ２３において算出した主電源スイッチＯＦＦ可能時間を、操作部１４の画面３１に表示させる（後述する図７参照。）。
【００４３】
上述したように、ユーザが主電源スイッチＯＦＦの禁止期間、より具体的にはオゾンファン２２の稼動中やハードディスク１３又はメモリー１２にアクセス中、に主電源スイッチ４０に接触した旨又は接触しようとしていると検知すると、主電源スイッチＯＦＦ可能時間を算出すると共に、主電源スイッチＯＦＦによる影響情報を取得し、操作部１４の画面３１に該影響情報と、主電源スイッチＯＦＦ可能時間と、を表示することにより、主電源スイッチ４０をＯＦＦにしてはいけない禁止期間にユーザが主電源スイッチ４０をＯＦＦすることを防止し、禁止期間に主電源スイッチ４０をＯＦＦにすることによる影響に係る情報と共に主電源スイッチ４０をＯＦＦにしてもよいまでの時間を、ユーザに提供することができる。
【００４４】
したがって、ユーザは画像形成装置１の状態及び主電源スイッチＯＦＦが可能になるまでの時間を把握しながら主電源スイッチ４０をＯＦＦすることができ、ハードディスク１３やメモリー１２の破壊や、画像形成装置１の故障を防ぐことができる。
【００４５】
以下、操作部１４の画面３１に表示された主電源スイッチＯＦＦによる影響に係る情報と、主電源スイッチＯＦＦ可能時間と、の一例を、図７に示す。図７は、操作部の画面に表示された主電源スイッチＯＦＦによる影響に係る情報と、主電源スイッチＯＦＦ可能時間と、の一例を示す図である。画像形成装置１は、ユーザが主電源スイッチＯＦＦの禁止期間に主電源スイッチ４０に接触した旨又は接触しようとしていると検知すると、図７に示されるように、操作部１４の画面３１に、主電源スイッチＯＦＦによる影響情報と、主電源スイッチＯＦＦ可能時間と、を表示する。
【実施例３】
【００４６】
以下、画像形成装置１における影響情報提示処理等の他の例を実施例３に示す。なお、実施例３では実施例１と異なる点について主に説明を行う。図８は、影響情報提示処理を示すフローチャート（その３）である。
【００４７】
ステップＳ３０において、ＣＰＵ１１は、ユーザが主電源スイッチ４０に触れたか又は触れようとしているか否かを判定する。ＣＰＵ１１は、ユーザが主電源スイッチ４０に触れた又は触れようとしていると判定すると（ステップＳ３０においてＹＥＳ）、ステップＳ３１に進み、ユーザが主電源スイッチ４０に触れていない又は触れようとしていないと判定すると（ステップＳ３０においてＮＯ）、ステップＳ３０に戻る。
【００４８】
例えば、ＣＰＵ１１は、Ｉ／Ｏ制御部１５を介して、感知センサー２１からユーザが主電源スイッチ４０に接触した旨又は接触しようとしている旨の通知を受け取ると、ユーザが主電源スイッチ４０に触れた又は触れようとしていると判定する。
【００４９】
ステップＳ３１では、ＣＰＵ１１が、オゾンファン２２が稼動中か否かを判定する。ＣＰＵ１１は、オゾンファン２２が稼動中であると判定すると（ステップＳ３１においてＹＥＳ）、ステップＳ３２に進み、オゾンファン２２が稼動中でないと判定すると（ステップＳ３１においてＮＯ）、ステップＳ３３に進む。
【００５０】
例えば、ＣＰＵ１１は、Ｉ／Ｏ制御部１５からの出力データに基づいて、オゾンファン２２が稼動中であるか否かを判定する。
【００５１】
ステップＳ３２では、ＣＰＵ１１が、ハードディスク１３又はメモリー１２にアクセス中か否かを判定する。ＣＰＵ１１は、ハードディスク１３又はメモリー１２にアクセス中であると判定すると（ステップＳ３２においてＹＥＳ）、ステップＳ３３に進み、ハードディスク１３又はメモリー１２にアクセス中でないと判定すると（ステップＳ３２においてＮＯ）、ステップＳ３０に戻る。
【００５２】
ステップＳ３３では、ＣＰＵ１１が、例えばハードディスク１３等より、主電源スイッチＯＦＦによる影響情報を取得する。ステップＳ３３に続いてステップＳ３４に進み、ＣＰＵ１１は、ステップＳ３３において取得した主電源スイッチＯＦＦによる影響情報を、操作部１４の画面３１に表示させる。
【００５３】
ステップＳ３４に続いてステップＳ３５に進み、ＣＰＵ１１は、Ｉ／Ｏ制御部１５を介して警告ランプ２３を点灯させる。
【００５４】
上述したように、ユーザが主電源スイッチＯＦＦの禁止期間、より具体的にはオゾンファン２２の稼動中やハードディスク１３又はメモリー１２にアクセス中、に主電源スイッチ４０に接触した旨又は接触しようとしていると検知すると、主電源スイッチＯＦＦによる影響情報を取得し、操作部１４の画面３１に表示すること、及び警告ランプ２３を点灯させることにより、主電源スイッチ４０をＯＦＦにしてはいけない禁止期間にユーザが主電源スイッチ４０をＯＦＦすることを防止すると共に、禁止期間に主電源スイッチ４０をＯＦＦにすることによる影響に係る情報を、ユーザに提供することができる。
【００５５】
特に、警告ランプ２３を警告ラベル５０の近傍に設ける構成とした場合は、ユーザに、警告ラベル５０の存在を認識させ、警告ラベル５０に表示されている内容（情報）を読ませることができる。また、警告ランプ２３を操作部１４に設ける構成とした場合は、ユーザに、操作部１４の画面３１に禁止期間に主電源スイッチ４０をＯＦＦにすることによる影響に係る情報が表示されていることを認識させ、影響情報を読ませることができる。
【００５６】
したがって、ユーザは画像形成装置１の状態を把握しながら主電源スイッチ４０をＯＦＦすることができ、ハードディスク１３やメモリー１２の破壊や、画像形成装置１の故障を防ぐことができる。
【実施例４】
【００５７】
以下、画像形成装置１における影響情報提示処理等の他の例を実施例４に示す。なお、実施例４では実施例１と異なる点について主に説明を行う。図９は、影響情報提示処理を示すフローチャート（その４）である。
【００５８】
ステップＳ４０において、ＣＰＵ１１は、ユーザが主電源スイッチ４０に触れたか又は触れようとしているか否かを判定する。ＣＰＵ１１は、ユーザが主電源スイッチ４０に触れた又は触れようとしていると判定すると（ステップＳ４０においてＹＥＳ）、ステップＳ４１に進み、ユーザが主電源スイッチ４０に触れていない又は触れようとしていないと判定すると（ステップＳ４０においてＮＯ）、ステップＳ４０に戻る。
【００５９】
例えば、ＣＰＵ１１は、Ｉ／Ｏ制御部１５を介して、感知センサー２１からユーザが主電源スイッチ４０に接触した旨又は接触しようとしている旨の通知を受け取ると、ユーザが主電源スイッチ４０に触れた又は触れようとしていると判定する。
【００６０】
ステップＳ４１では、ＣＰＵ１１が、オゾンファン２２が稼動中か否かを判定する。ＣＰＵ１１は、オゾンファン２２が稼動中であると判定すると（ステップＳ４１においてＹＥＳ）、ステップＳ４２に進み、オゾンファン２２が稼動中でないと判定すると（ステップＳ４１においてＮＯ）、ステップＳ４３に進む。
【００６１】
例えば、ＣＰＵ１１は、Ｉ／Ｏ制御部１５からの出力データに基づいて、オゾンファン２２が稼動中であるか否かを判定する。
【００６２】
ステップＳ４２では、ＣＰＵ１１が、ハードディスク１３又はメモリー１２にアクセス中か否かを判定する。ＣＰＵ１１は、ハードディスク１３又はメモリー１２にアクセス中であると判定すると（ステップＳ４２においてＹＥＳ）、ステップＳ４３に進み、ハードディスク１３又はメモリー１２にアクセス中でないと判定すると（ステップＳ４２においてＮＯ）、ステップＳ４０に戻る。
【００６３】
ステップＳ４３では、ＣＰＵ１１が、例えばハードディスク１３等より、主電源スイッチＯＦＦによる影響情報を取得する。ステップＳ４３に続いてステップＳ４４に進み、ＣＰＵ１１は、ステップＳ４３において取得した主電源スイッチＯＦＦによる影響情報を、操作部１４の画面３１に表示させる。
【００６４】
ステップＳ４４に続いてステップＳ４５に進み、ＣＰＵ１１は、Ｉ／Ｏ制御部１５を介してブザー２４に警告音を発生させる。
【００６５】
上述したように、ユーザが主電源スイッチＯＦＦの禁止期間、より具体的にはオゾンファン２２の稼動中やハードディスク１３又はメモリー１２にアクセス中、に主電源スイッチ４０に接触した旨又は接触しようとしていると検知すると、主電源スイッチＯＦＦによる影響情報を取得し、操作部１４の画面３１に表示すること、及びブザー２４に警告音を発生させることにより、主電源スイッチ４０をＯＦＦにしてはいけない禁止期間にユーザが主電源スイッチ４０をＯＦＦすることを防止すると共に、禁止期間に主電源スイッチ４０をＯＦＦにすることによる影響に係る情報を、ユーザに提供することができる。
【００６６】
特に、ブザー２４を警告ラベル５０の近傍に設ける構成とした場合は、ユーザに、警告ラベル５０の存在を認識させ、警告ラベル５０に表示されている内容（情報）を読ませることができる。また、ブザー２４を操作部１４に設ける構成とした場合は、ユーザに、操作部１４の画面３１に禁止期間に主電源スイッチ４０をＯＦＦにすることによる影響に係る情報が表示されていることを認識させ、影響情報を読ませることができる。
【００６７】
したがって、ユーザは画像形成装置１の状態を把握しながら主電源スイッチ４０をＯＦＦすることができ、ハードディスク１３やメモリー１２の破壊や、画像形成装置１の故障を防ぐことができる。
【００６８】
以上、本発明の好ましい実施例について詳述したが、本発明は係る特定の実施形態に限定されるものではなく、特許請求の範囲に記載された本発明の要旨の範囲内において、種々の変形・変更が可能である。
【００６９】
例えば、実施例２及び／又は実施例３及び／実施例４を同時に実施するようにしてもよい。
【図面の簡単な説明】
【００７０】
【図１】画像形成装置の一例の制御ブロック図である。
【図２】主電源スイッチの近傍に貼られた警告ラベルの一例を示す図である。
【図３】操作部の一例を示す図である。
【図４】操作部の画面に表示された主電源スイッチＯＦＦによる影響に係る情報の一例を示す図である。
【図５】影響情報提示処理を示すフローチャート（その１）である。
【図６】影響情報提示処理を示すフローチャート（その２）である。
【図７】操作部の画面に表示された主電源スイッチＯＦＦによる影響に係る情報と、主電源スイッチＯＦＦ可能時間と、の一例を示す図である。
【図８】影響情報提示処理を示すフローチャート（その３）である。
【図９】影響情報提示処理を示すフローチャート（その４）である。
【符号の説明】
【００７１】
１１    ＣＰＵ
１２    メモリー
１３    ハードディスク
１４    操作部
１５    Ｉ／Ｏ制御部
１６    書込み部
１７    スキャナ部
１８    高圧電源
１９    画像処理部
２１    感知センサー
２２    オゾンファン
２３    警告ランプ
２４    ブザー
３１    画面
３２    主電源ランプ
３３    電源ランプ
３４    電源キー
４０    主電源スイッチ
５０    警告ラベル
【図１】
2006192781.tif 000003
【図２】
2006192781.tif 000004
【図３】
2006192781.tif 000005
【図４】
2006192781.tif 000006
【図５】
2006192781.tif 000007
【図６】
2006192781.tif 000008
【図７】
2006192781.tif 000009
【図８】
2006192781.tif 000010
【図９】
2006192781.tif 000011